(57)【特許請求の範囲】
【請求項１】
引戸を移動自在に案内する引戸溝を有する敷居と、敷居の両側に立設される一対の竪枠とを備えた引戸枠において、上記敷居の竪枠側の端面に、上記竪枠の戸じゃくり溝に収納される竪枠連結プレートを配設し、上記竪枠連結プレートの敷居側の面に、上記引戸溝の端部の内側に係合する係合突起が突出しており、この係合突起から上記竪枠連結プレート背面まで貫通孔を穿孔し、上記竪枠連結プレートと上記竪枠とを連結するための連結手段を上記引戸溝内から上記貫通孔を貫通して上記竪枠に螺合するネジ具で構成したことを特徴とする引戸枠。
【請求項２】
上記竪枠連結プレートの上部における引戸溝と直交する方向の両側面に、上記竪枠の戸じゃくり溝の両内側面にそれぞれ当接する位置決め突部を設けたことを特徴とする請求項１記載の引戸枠。
【請求項３】
上記竪枠連結プレートの位置決め突部よりも下部の側面に、上記竪枠連結プレートを戸じゃくり溝の内部で水平軸回りに回転可能にするための逃がし面を設けたことを特徴とする請求項２記載の引戸枠。
【発明の詳細な説明】
【技術分野】
【０００１】
本発明は、引戸枠に関し、詳しくは竪枠を取外さずに敷居を取外し可能とする技術に関するものである。
【背景技術】
【０００２】
従来より、引戸を移動自在に案内する引戸溝を有する敷居と、敷居の両側に立設される一対の竪枠とを備えた引戸枠が一般に知られている（例えば、特許文献１参照）。
【０００３】
ところで、従来では、図９に示すように、竪枠５の戸じゃくり溝６の下端部と、引戸溝４を有する敷居３の端面との間の隙間を埋めるために、戸じゃくり溝６の下端部に隙間塞ぎ片２１を収納し、引戸枠２の外側から、１本のネジ具１０を隙間塞ぎ片２１の貫通孔３２を貫通して敷居３の端面に螺合させ、別のネジ具１０を竪枠５の貫通孔３３を貫通して敷居３の端面に螺合させている。このため、引戸枠２の施工後において敷居３に何らかの不具合が生じた場合には、建物開口から竪枠５を一旦取外し、その後、竪枠５の外側から敷居３を取外す必要があるため、竪枠５の取外し作業が大掛かりとなり、敷居３のメンテナンスや交換作業に多大な手間と時間がかかるという問題があった。
【特許文献１】特開２００５−１９４７８２号公報
【発明の開示】
【発明が解決しようとする課題】
【０００４】
本発明は上記の従来の問題点に鑑みて発明したものであって、建物開口から竪枠を取外さずに、引戸枠の内側から敷居を取外すことができ、敷居のメンテナンスや交換を容易に行なうことができるようにした引戸枠を提供することを課題とするものである。
【課題を解決するための手段】
【０００５】
前記課題を解決するために本発明は、引戸１を移動自在に案内する引戸溝４を有する敷居３と、敷居３の両側に立設される一対の竪枠５とを備えた引戸枠において、上記敷居３の竪枠５側の端面に、上記竪枠５の戸じゃくり溝６に収納される竪枠連結プレート７を配設し、上記竪枠連結プレート７の敷居３側の面に、上記引戸溝４の端部４ａの内側に係合する係合突起８が突出しており、この係合突起８から上記竪枠連結プレート７背面まで貫通孔１７を穿孔し、上記竪枠連結プレート７と上記竪枠５とを連結するための連結手段を上記引戸溝４内から上記貫通孔１７を貫通して上記竪枠５に螺合するネジ具１０で構成したことを特徴としている。
【０００６】
このような構成とすることで、竪枠連結プレート７の係合突起８が敷居３の引戸溝４の端部４ａに係合した状態で引戸溝４内においてネジ具１０を係合突起８の貫通孔１７に挿通することで、敷居３に対する竪枠連結プレート７の取り付け状態が安定化するものであり、しかも竪枠連結プレート７と竪枠５とをスムーズに連結できるようになり、竪枠連結プレート７と竪枠５とのネジ固定作業が容易にできるものである。さらに、引戸枠２の施工後において敷居３に何らかの不具合が生じた場合は、引戸枠２の内側からネジ具１０を取外して竪枠連結プレート７と竪枠５との連結を解除でき、従来のように建物開口から竪枠５を取外さずに、敷居３を竪枠５の内側から容易に取外せるようになる。
【０００７】
また、上記竪枠連結プレート７の上部における引戸溝４と直交する方向の両側面に、竪枠５の戸じゃくり溝６の両内側面６ａにそれぞれ当接する位置決め突部９を設けたことを特徴とするのが好ましく、この場合、竪枠連結プレート７を戸じゃくり溝６に収納した状態で竪枠連結プレート７の上部の両側面に設けた位置決め突部９が戸じゃくり溝６の両内側面６ａにそれぞれ当たることによって、上面から見て竪枠連結プレート７と戸じゃくり溝６との間の隙間を確実に塞ぐことができ、竪枠連結プレート７と竪枠５との間で連続した一体感が得られるようになる。
【０００８】
また、上記竪枠連結プレート７の位置決め突部９よりも下部の側面に、竪枠連結プレート７を戸じゃくり溝６の内部で水平軸回りに回転可能にするための逃がし面１１を設けたことを特徴とするのが好ましく、この場合、竪枠連結プレート７を竪枠５の戸じゃくり溝６に収納する際に、竪枠連結プレート７を戸じゃくり溝６の内部で水平軸回りに回転させることで、竪枠連結プレート７の位置決め突部９を戸じゃくり溝６の両内側面６ａにそれぞれ当てて位置決めすることができ、戸じゃくり溝６への竪枠連結プレート７の収納動作が容易となる。
【発明の効果】
【０００９】
本発明は、敷居に対する竪枠連結プレートの取り付け状態が安定化すると共に、竪枠連結プレートと竪枠とのネジ固定作業が容易にできるものであり、さらに、ネジ具を引戸溝内から竪枠連結プレートを貫通して竪枠に螺合しているので、引戸枠の施工後に敷居に何らかの不具合が生じた場合は、引戸枠の内側からネジ具を取外して竪枠から敷居を取外すことができ、結果、建物開口から竪枠を取外す必要がなく、敷居のメンテナンス或いは交換作業に手間や時間がかからず、作業性が大幅に改善されるものである。
【発明を実施するための最良の形態】
【００１０】
以下、本発明を添付図面に示す実施形態に基いて説明する。
【００１１】
本実施形態の引戸枠２は、図３に示すように、引戸１を移動自在に案内する引戸溝４を有する敷居３と、敷居３の上方に横架される鴨居２０と、敷居３の両側に立設される一対の竪枠５とで構成されている。図中の１２は中方立、１３は横額縁、１４は縦額縁、１５は鴨居キャップ、１６は引戸レールである。ここで図３は片引きタイプの引戸枠２を示し、図４は引き違いタイプの引戸枠２Ａを示している。
【００１２】
上記図３、図４のいずれにおいても、敷居３の竪枠５側の端面には、図１に示すように、竪枠５の戸じゃくり溝６の下端部に収納される竪枠連結プレート７が配設されている。竪枠連結プレート７は、敷居３の上下厚みと略同じ上下厚み寸法Ｄ１と、戸じゃくり溝６の左右溝幅ｄ１と略同じ幅寸法Ｄ２と、戸じゃくり溝６の深さｄ２と略同じ厚み寸法Ｄ３とを有している。本例の竪枠連結プレート７は敷居３とは別体で構成されているが、敷居３と一体化形成されたものであってもよい。なお、竪枠５の戸じゃくり溝６は、引戸１を閉じたときに引戸１の戸当たり端面を収納するものであり、引戸１と竪枠５との隙間からの明かり漏れや隙間風を抑えるために一般に設けられている。
【００１３】
また、上記竪枠連結プレート７の敷居３側の面には、引戸溝４の端部４ａに係合する係合突起８が突出している。この係合突起８は引戸溝４の端部４ａの内側に係合される薄板方形状に形成されており、その中央にはネジ具１０が貫通する貫通孔１７が穿孔されている。この貫通孔１７は係合突起８と対向する竪枠連結プレート７の部分を貫通して該竪枠連結プレート７の背面まで開口している。一方、竪枠５の戸じゃくり溝６の下端部の竪枠連結プレート７と対向する位置には、ネジ具１０が螺合する鬼目ナット５０（図１（ａ））が埋設されており、ネジ具１０が引戸溝４内から上記貫通孔１７を貫通して竪枠５に埋め込んだ鬼目ナット５０に螺着されるようになっている。なお、図１（ｂ）中の１８は横長孔状の敷居固定ネジ孔である。
【００１４】
ここで、上記竪枠連結プレート７の上部における引戸溝４と直交する方向の両側面には位置決め突部９がそれぞれ設けられている。各位置決め突部９は、図５（ｄ）に示すように、戸じゃくり溝６の両内側面６ａに隙間なく当接して位置決めされるものである。
【００１５】
また、竪枠連結プレート７の下部の両側面には、竪枠連結プレート７を戸じゃくり溝６の内部で水平軸回りに回転可能にするための逃がし面１１がそれぞれ設けられている。図１（ｂ）の逃がし面１１は、上端から下端になるほど竪枠連結プレート７の中央側に向かってアール形状に曲成されているが、勿論このようなアール形状に限らず、例えば図２に示すように、上端から下端にいくほど竪枠連結プレート７の中央側に向かって傾斜したテーパー面であってもよい。この逃がし面１１は、竪枠連結プレート７を竪枠５の戸じゃくり溝６に収納する際に、図５（ｅ）の矢印ｆで示す方向に、竪枠連結プレート７を戸じゃくり溝６の内部で水平軸回りに回転可能にして戸じゃくり溝６への竪枠連結プレート７の収納動作をスムーズにする働きと、竪枠連結プレート７の位置決め突部９を戸じゃくり溝６の両内側面６ａに確実に当たった状態にする働きとをする。なお、逃がし面１１は、竪枠連結プレート７の下部の両側面にそれぞれ設けられる必要はなく、片側の側面だけに設けてもよく、要は、竪枠連結プレート７を戸じゃくり溝６の内部で水平軸回りに回転できるようにしたものであればよい。
【００１６】
なお図１及び図５には、１本の引戸溝４を有する幅狭の敷居３に対応する竪枠連結プレート７を例示しているが、例えば２本の引戸溝４を有する幅広の敷居３に対応する一対の係合突起８を備えた幅広の竪枠連結プレート７Ａ（図６）であってもよい。
【００１７】
次に、図３に示す片引きタイプの引戸枠２における敷居３の施工手順の一例を図７に示す。予め敷居３の両端面にそれぞれ竪枠連結プレート７をネジ固定しておく。この敷居３を図７（ａ）のように前後左右に傾けた状態で、矢印ａのように敷居３を中方立１２に沿わせながら竪枠５間に嵌め込むと共に、矢印ｂのように敷居３を水平に回転させると、図５（ｅ）のように戸じゃくり溝６の内部で竪枠連結プレート７が回転し、図５（ｄ）のように竪枠連結プレート７の位置決め突部９を戸じゃくり溝６の両内側面６ａにそれぞれ当てて位置決めできるようになり、その後、図７（ｂ）の矢印ｃの方向に敷居３を押し下げることにより、図７（ｃ）のように竪枠連結プレート７を戸じゃくり溝６の下端部に収納することができる。このとき、竪枠連結プレート７は係合突起８が引戸溝４の端部４ａに係合した状態で、係合突起８の貫通孔１７が戸じゃくり溝６の下端部に埋め込まれた鬼目ナット５０（図１（ａ））に対向するように構成されている。従って、竪枠連結プレート７が戸じゃくり溝６の下端部に収納された状態で、貫通孔１７と鬼目ナット５０とが位置決めされるようになる。これにより、引戸溝４内において矢印ｄに示す方向からネジ具１０を貫通孔１７に挿通するだけで鬼目ナット５０に螺合させることができるようになり、図７（ｄ）のように竪枠連結プレート７と竪枠５とをスムーズに連結できるようになる。なお敷居３の引戸溝４には図７（ｅ）のように引戸レール１６を設置する。
【００１８】
その後、引戸枠２の施工後に敷居３に何らかの不具合（修理、交換の必要性）が生じた場合は、前記と逆の動作で敷居３を取外す。つまり、引戸枠２の内側からネジ具１０を取外して、敷居３と竪枠連結プレート７と竪枠５との相互の連結を解除し、その後で、図７（ｂ）の矢印ｃ´の方向に敷居３を持ち上げ、図７（ａ）の矢印ｂ´→ａ´のように敷居３を回転させながら持ち上げることで、竪枠連結プレート７を戸じゃくり溝６の上方からスムーズに取外すことができ、従って、建物開口から竪枠５を取外すことなく、引戸枠２の内側から敷居３だけを取り外すことができ、敷居３のメンテナンス或いは交換作業を手間や時間をかけずに容易に行なえるものとなる。
【００１９】
なお、図４に示す引き違いタイプの引戸枠２における敷居３の施工では、上記片引きタイプのものと基本的に同様にして行なうが、このタイプでは中方立１２が存在しないため、施工時には敷居３を前後に傾けることなく左右に傾けるだけで図８の矢印ｅで示す方向に竪枠連結プレート７を戸じゃくり溝６内に嵌め込むことができるものであり、また取り外しの際は、ネジ具１０を取外した後で敷居３の一端を図８矢印ｅ´の方向に持ち上げるだけで竪枠連結プレート７をスムーズに取外すことができるものであり、従って、上記片引きタイプのものよりも、敷居３のメンテナンス或いは交換作業を一層容易に行なえるものである。
【００２０】
また本例では、竪枠連結プレート７の係合突起８が敷居３の引戸溝４の端部４ａに係合しているので、敷居３に対する竪枠連結プレート７の取り付け状態が安定化するものであり、さらに係合突起８が引戸溝４の端部４ａに係合した状態で係合突起８の貫通孔１７が戸じゃくり溝６の下端部に埋め込まれた鬼目ナット５０に対向するようになっているので、竪枠連結プレート７と竪枠５とのネジ固定作業が容易にできるものである。
【００２１】
さらに本例では、竪枠連結プレート７の位置決め突部９が竪枠５の戸じゃくり溝６の両内側面６ａにそれぞれ当たって位置決めされるので、竪枠５に対する竪枠連結プレート７の取り付け状態が安定化するものであり、敷居３の施工の信頼性を高めることができると共に、位置決め突部９によって竪枠連結プレート７と竪枠５との隙間が隠され、外観の連続した一体感を得ることができ、ごみやホコリ詰まりも防止できるものである。そのうえ、位置決め突部９よりも下部側面に逃がし面１１を設けて、竪枠連結プレート７を戸じゃくり溝６の内部で水平軸回りに回転可能としたので、戸じゃくり溝６内への竪枠連結プレート７の収納動作又は取り出し動作がスムーズにできる利点もある。
【００２２】
本発明の竪枠連結プレート７を用いた敷居３と竪枠５の連結構造は、鴨居２０と竪枠５との間にも同様に適用可能である。つまり鴨居２０の端面を竪枠５の内側から竪枠５にビス固定することで、施工後に鴨居２０に何らかの不具合（修理、交換の必要性）が生じた場合は、竪枠５を取外すことなく鴨居２０だけを取外すことができる効果が得られる。
【図面の簡単な説明】
【００２３】
【図１】本発明の実施形態の一例を示し、（ａ）は敷居を竪枠連結プレートを介して竪枠の戸じゃくり溝に固定する状態を説明する分解斜視図、（ｂ）は竪枠連結プレートの斜視図である。
【図２】同上の竪枠連結プレートの他例の斜視図である。
【図３】同上の敷居と竪枠連結プレートとを備えた片引きタイプの引戸枠の分解斜視図である。
【図４】同上の敷居と竪枠連結プレートとを備えた引き違いタイプの引戸枠の分解斜視図である。
【図５】（ａ）は同上の竪枠連結プレートの背面図、（ｂ）は竪枠連結プレートの片側半分を破断した図、（ｃ）は平面図、（ｄ）は戸じゃくり溝内に収納された状態の説明図、（ｅ）は戸じゃくり溝内で回転させた状態の説明図である。
【図６】同上の竪枠連結プレートの他例を示し、（ａ）は背面図、（ｂ）は側面図、（ｃ）は竪枠連結プレートの片側半分を破断した図、（ｄ）は戸じゃくり溝内に収納された状態の説明図である。
【図７】同上の片引きタイプの敷居の施工手順の一例を示し、（ａ）は敷居を前後左右に傾けて嵌め込む場合の説明図、（ｂ）は敷居を水平にして押し下げる状態の説明図、（ｃ）は敷居の竪枠連結プレートが戸じゃくり溝の下端の定位置に収納された状態の斜視図、（ｄ）は同上の敷居が竪枠連結プレートを介して竪枠に連結された状態の斜視図、（ｅ）は同上の敷居の引戸溝に引戸レールを取り付ける状態の説明図である。
【図８】同上の引き違いタイプの敷居の取付け、取外し状態を説明する斜視図である。
【図９】従来の敷居を竪枠の戸じゃくり溝に収納した隙間塞ぎ片を介して竪枠に固定する状態を説明する分解斜視図である。
【符号の説明】
【００２４】
１  引戸
２  引戸枠
３  敷居
４  引戸溝
４ａ  引戸溝の端部
５  竪枠
６  戸じゃくり溝
６ａ  内側面
７  竪枠連結プレート
９  位置決め突部
１１  逃がし面
【図１】
0004788266.tif 000002
【図２】
0004788266.tif 000003
【図３】
0004788266.tif 000004
【図４】
0004788266.tif 000005
【図５】
0004788266.tif 000006
【図６】
0004788266.tif 000007
【図７】
0004788266.tif 000008
【図８】
0004788266.tif 000009
【図９】
0004788266.tif 000010